(57)【要約】【課題】従来のような締付ナットを要することなくＤＶ線を確実に係留可能にするＤＶ線引留具を提供する。【解決手段】胴体１の一端部に止金具１２を挿通し得る透孔３が開設され、該胴体の相対する両側面に第１巻軸部４と第２巻軸部５と第３巻軸部６を適宜間隔を離して略直線状に並ぶように突設し該各巻軸部の先端に鍔部４′，５′，６′を一体に形成すると共に、該胴体の他側面にフック７，８を一体に形成し、ＤＶ線１０の引張側１０ａを前記第１巻軸部から第３巻軸部に亘ってＳ字状に巻掛し、さらに該ＤＶ線の弛緩側１０ｂを前記フックに係留し、前記透孔に止金具１２を挿通して牽引することにより該ＤＶ線を架空する。【選択図】図３
2007028801.tif 000002
【特許請求の範囲】
【請求項１】
胴体の一端部に止金具を挿通し得る透孔が開設され、該胴体の相対する両側面に第１巻軸部と第２巻軸部と第３巻軸部を適宜間隔を離して略直線状に並ぶように突設し該各巻軸部の先端に鍔部を一体に形成すると共に、該胴体の他側面にフックを一体に形成し、ＤＶ線の引張側を前記第１巻軸部から第３巻軸部に亘ってＳ字状に巻掛し、さらに該ＤＶ線の弛緩側を前記フックに係留し、前記透孔に止金具を挿通して牽引することにより該ＤＶ線が架空されるようにしたことを特徴とする合成樹脂製のＤＶ線引留具。
【請求項２】
２つのフックを胴体の長手方向にずらして夫々形成し、２本のＤＶ線の弛緩側が該フックに夫々係留されるようにした請求項１に記載した合成樹脂製のＤＶ線引留具。
【請求項３】
先端部が胴体側に鉤状に屈曲した形態のフックを胴体に一体に形成した請求項１または２に記載の合成樹脂製のＤＶ線引留具。
【発明の詳細な説明】
【技術分野】
【０００１】
本発明は、電柱から電力を引き込むためのビニル絶縁電線（ＤＶ線という）を引留するのに使用する合成樹脂製のＤＶ線引留具の構造に関するものである。
【背景技術】
【０００２】
ＤＶ線を家屋に引き込むに際して使用される合成樹脂製の引留具は、下記特許文献１〜４により知られているように、留具本体の端部に螺子軸が一体に形成され、該螺子軸の先端部に止金具を挿通し得る透孔が開設され、留具本体の両側面にはＤＶ線が巻回される複数の巻軸部が一体に形成され、該巻軸部の先端に形成された鍔部が前記螺子軸の基部の両側に張り出しており、該螺子軸に螺合した締付ナットを螺締することでＤＶ線が挟着されるようにしたものである。
【特許文献１】特開平７−２９８４６４号公報
【特許文献２】特開平９−２２４３２０号公報
【特許文献３】特開平９−３０８０６６号公報
【特許文献４】特許第３５７４４４１号公報
【発明の開示】
【発明が解決しようとする課題】
【０００３】
ところで、上記締付ナットは、作業者が高所にていちいち締め付ける作業が面倒であると共に、その締付力が弱いと強風に伴う振動等により緩むおそれがあり、反対に強く締めるとＤＶ線のビニル被覆を傷付け漏電の原因となる恐れがあった。また、締付ナットを別部品として必要とするために部品点数が増え、その組み付けにも手間が掛かり、製造コストを高くしているという問題があった。
そこで本発明は、締付ナットを要することなくＤＶ線を確実に係留可能にする合成樹脂製のＤＶ線引留具を提供するものである。
【課題を解決するための手段】
【０００４】
そのために請求項１に記載したＤＶ線引留具の発明は、胴体の一端部に止金具を挿通し得る透孔が開設され、該胴体の相対する両側面に第１巻軸部と第２巻軸部と第３巻軸部を適宜間隔を離して略直線状に並ぶように突設し該各巻軸部の先端に鍔部を一体に形成すると共に、該胴体の他側面にフックを一体に形成し、ＤＶ線の引張側を前記第１巻軸部から第３巻軸部に亘ってＳ字状に巻掛し、さらに該ＤＶ線の弛緩側を前記フックに係留し、前記透孔に止金具を挿通して牽引することにより該ＤＶ線が架空されるようにしたことを特徴とする。
また請求項２に記載の発明は、上記ＤＶ線引留具において、２つのフックを胴体の長手方向にずらして夫々形成し、２本のＤＶ線の弛緩側が該フックに夫々係留されるようにしたことを特徴とする。
また請求項３に記載の発明は、上記ＤＶ線引留具において、先端部が胴体側に鉤状に屈曲した形態のフックを胴体に一体に形成したことを特徴とする。
【発明の効果】
【０００５】
本発明のＤＶ線引留具によれば、締付ナットの締付を要することなくＤＶ線を係留状態に維持できる。このため、製造コストが軽減されると共に、面倒な作業を要さず、ナット締付力の不具合が発生するおそれもないので、ＤＶ線係留作業が容易となる。
【発明を実施するための最良の形態】
【０００６】
以下に本発明の実施の形態を図面と共に説明する。図１は本発明に係る合成樹脂（ＡＢＳ樹脂）製ＤＶ線引留具を下方から見た斜視図、図２はこれを上方から見た斜視図である。このＤＶ線引留具は、略直方体状の胴体１の一端部に一体に形成された軸状部２に長孔状の透孔３を形成し、該胴体１の両側面の対称位置に第１巻軸部４と第２巻軸部５と第３巻軸部６を適宜間隔を離して略直線状に並ぶように突設し、該各巻軸部の先端に鍔部４′、鍔部５′、鍔部６′を夫々一体に形成する。また、胴体１の他側面にて該胴体の長手方向にずらして２つのフック７，８を一体に形成してなる。なお、該フック７，８は先端部７′，８′が胴体側に鉤状に屈曲した形態に形成される。また、上記鍔部４′は上方向と軸状部２方向に張り出し、鍔部５′は下方向に張り出し、鍔部６′は上方向に張り出す形態に夫々形成される。９は胴体１を均肉に成形するために形成された窪みである。
【０００７】
主に電柱から一般家屋への低圧電力の架空引込み電線として使用されるＤＶ線は、周知のように、直径２〜４ｍｍ程度の硬銅を導体としその周囲に絶縁用のビニル被覆を形成してなり、手で自由に折り曲げられる反面、一定の剛性を有していることからその折曲状態が保持されるといった機械的性質を持つ。しかしてこのＤＶ線を本発明に係る引留具を使用して係留するに際しては、図３〜図５に示したように、該ＤＶ線１０の引張側１０ａを第３巻軸部６の上側から第２巻軸部５の下側に通しさらに第１巻軸部４の上側から該ＤＶ線１０を該第１巻軸部４の下側にわたって該第１巻軸部４の周りを半周巻回することにより該ＤＶ線１０の引張側１０ａを前記第１巻軸部４から第３巻軸部６に亘ってＳ字状となるように巻掛する。その後にＤＶ線１０の弛緩側１０ｂをフック７，８に夫々係留する。なお、ＤＶ線１０をフック７，８に係留できるようにするため、該フック７，８の先端部７′，８′と胴体１表面との隙間はＤＶ線１０の外径よりも１〜３ｍｍ広くなるように設定されている。こうしてＤＶ線１０が係留できたところで、家屋外壁１１等に一端を止着した止金具１２を透孔３に挿通し、該胴体１を牽引することにより該ＤＶ線１０を電柱等との間に架空することができる。なお、弛緩側１０ｂをフック７，８に係留した際に、先端部７′，８′と胴体１表面との隙間を狭くし奥を広くしたことで、一定の剛性があるＤＶ線１０では該フック７，８内から抜け出るおそれなく係留状態が維持される。
【０００８】
このように、ＤＶ線の引張側をＤＶ線引留具の両側面に形成された巻軸部にＳ字状に巻掛すると共に、該ＤＶ線の弛緩側を該ＤＶ線引留具に形成されたフックに係留することにより、該ＤＶ線を風等による振動によって緩むようなおそれもなく長期間安定した係留状態に保つことができる。
【０００９】
なおこの実施形態では２つのフック７，８を胴体１の長手方向にずらして形成していることから、２本のＤＶ線の弛緩側を交会させることなく離間状態でフック７，８に夫々係留することができる。このため、１つのフックにＤＶ線弛緩側の引張力が集中するのを避けられると共に、ＤＶ線のビニール皮膜の絶縁性が損なわれた場合にもこの係留で短絡事故が起きるのを防止することができる。
【００１０】
一方、図６に示した実施形態は、胴体１に一つのフック７を設けたＤＶ線引留具を示すもので、この実施形態では図７に示したように一つのフック７に２本のＤＶ線１０の弛緩側１０ｂが纏めて係留される点を除いて上記実施形態と同様である。これらの実施形態に示したように、胴体１に形成されるフックの数は引込電力の電圧等の必要性に応じ増減することが可能である。
【００１１】
なお上記実施形態は、ＤＶ線を家屋側に引留する場合を説明したが、図８に示したように、このＤＶ線引留具は電柱側にも同様に使用することができる。なお、同図において、２０は電柱、２１は電柱に巻止された止バンド、２２は２本のＤＶ線１０の周囲に巻回することで架空された接地線であり、その他の図３と同一符号は同一または相当部分を示す。
【００１２】
また、図示しないが、本発明のＤＶ線引留具は、電柱からＤＶ線を引き込む際に使用されるだけでなく、電柱間に引っ張られたメッセンジャーワイヤによってＤＶ線を架空し、その途中から該ＤＶ線を家屋等に引き込む際にも使用される。
【図面の簡単な説明】
【００１３】
【図１】本発明の実施形態であるＤＶ線引留具を下方から見た斜視図。
【図２】本発明の実施形態であるＤＶ線引留具を上方から見た斜視図。
【図３】本発明の実施形態であるＤＶ線引留具の使用状態を示す斜視図。
【図４】本発明の実施形態であるＤＶ線引留具の使用状態を示す図３の拡大斜視図。
【図５】本発明の実施形態であるＤＶ線引留具の使用状態を示す図３の拡大側面図。
【図６】本発明の他の実施形態であるＤＶ線引留具を下方から見た斜視図。
【図７】図６のＤＶ線引留具の使用状態を示す斜視図。
【図８】本発明の実施形態であるＤＶ線引留具の他の使用状態を示す斜視図。
【符号の説明】
【００１４】
１                  胴体
３                  透孔
４                  第１巻軸部
５                  第２巻軸部
６                  第３巻軸部
４′，５′，６′    鍔部
７，８              フック
１０                ＤＶ線
１０ａ              ＤＶ線の引張側
１０ｂ              ＤＶ線の弛緩側
１２                止金具
【図１】
2007028801.tif 000003
【図２】
2007028801.tif 000004
【図３】
2007028801.tif 000005
【図４】
2007028801.tif 000006
【図５】
2007028801.tif 000007
【図６】
2007028801.tif 000008
【図７】
2007028801.tif 000009
【図８】
2007028801.tif 000010